(57)【要約】【課題】手洗空間の照明機能を確保しつつ、高い防水性及び高い配設自由度を確保して発光部を配設できる手洗装置を提供する。【解決手段】ボウル部２とボウル部２の後部に立設して手洗いの際の水跳ねを受けるバックガード３とを備える手洗装置１である。バックガード３の背部側に発光部１８を配設する。少なくともバックガード３の発光部１８に対応する部位に透光性を備えるようにする。【選択図】図１
2008237615.tif 000002
【特許請求の範囲】
【請求項１】
ボウル部とボウル部の後部に立設して手洗いの際の水跳ねを受けるバックガードとを備える手洗装置であって、バックガードの背部側に発光部を配設すると共に、少なくともバックガードの発光部に対応する部位に透光性を備えるようにしたことを特徴とする手洗装置。
【請求項２】
バックガードに手洗水の吐水部を設け、この吐水部の周囲に廻らせて発光部を配設したことを特徴とする請求項１記載の手洗装置。
【発明の詳細な説明】
【技術分野】
【０００１】
本発明は、手洗装置に関するものである。
【背景技術】
【０００２】
トイレルーム２０などに設置されて用便後の使用者に手を洗わせるための手洗装置１としては、従来からたとえば図４のようなものが知られている（たとえば特許文献１参照）。この手洗装置１は、手洗水を受けるボウル部２とボウル部２の後部に立設して手洗いの際の水跳ねを受けるバックガード３とを備えており、バックガード３からスパウト状（管状）の手洗水の吐水部６が前方に突設され、この吐水部６の突出先端部に手洗水を吐水する吐水口６ａと光を照射する発光部１８とがそれぞれ下方のボウル部２に向けて設けられている。したがって、この手洗装置１では、発光部１８による光で照らした手洗空間Ａで手を洗うことができるようにされている。
【０００３】
しかしながら、この手洗装置１では、発光部１８は吐水口６ａ近傍のスパウト状の吐水部６に付設されており、発光部１８に高い防水性を備えるのは困難で故障が発生し易く、また、スパウト状の吐水部６という比較的狭くならざるを得ない付設箇所に対して発光部１８を付設しなければならなく、点光源の小型ランプなどで発光部１８を構成しなければならないなど、発光部１８の配設自由度が小さい、という問題があった。
【特許文献１】特開２００３−２９３４０６号公報
【発明の開示】
【発明が解決しようとする課題】
【０００４】
本発明は上記の点に鑑みてなされたものであり、その目的とするところは、手洗空間の照明機能を確保しつつ、高い防水性及び高い配設自由度を確保して発光部を配設できる手洗装置を提供することを課題とするものである。
【課題を解決するための手段】
【０００５】
上記課題を解決するために請求項１に係る手洗装置にあっては、ボウル部２とボウル部２の後部に立設して手洗いの際の水跳ねを受けるバックガード３とを備える手洗装置１であって、バックガード３の背部側に発光部１８を配設すると共に、少なくともバックガード３の発光部１８に対応する部位に透光性を備えるようにしたことを特徴とする。これによると、発光部１８をバックガード３の背部側に配設したので、発光部１８の防水性を確保できると共に、比較的広いバックガード３に対して高い自由度のもと発光部１８を配設することができ、しかも、このバックガード３の発光部１８に対応する部位に透光性を備えたので、発光部１８が照射する光はバックガード３を通してバックガード３の前方を照らすことができる。バックガード３の前方には手を洗う空間である手洗空間Ａが位置するから、バックガード３の前方を照らすことは手洗空間Ａを照らすこととなる。つまり、手洗空間Ａの照明機能を確保しつつ、高い防水性及び高い配設自由度を確保して発光部１８を配設できるのである。
【０００６】
また、請求項２に係る手洗装置にあっては、請求項１において、バックガード３に手洗水の吐水部６を設け、この吐水部６の周囲に廻らせて発光部１８を配設したことを特徴とする。これによると、発光部１８からの光で手洗水の吐水部６をその周囲から影をつくることなく浮かび上がらせるように照らすことができ、照らされた手洗水の吐水部６に影の無い良好な外観を確保しつつ、手洗水の吐水部６を使用者に容易に認識させて手洗装置１の使い勝手を高めることができる。
【発明の効果】
【０００７】
本発明にあっては、手洗空間の照明機能を確保しつつ、高い防水性及び高い配設自由度を確保して発光部を手洗装置に配設できる、という利点を有する。
【発明を実施するための最良の形態】
【０００８】
以下、本発明を添付図面に示す実施形態に基いて説明する。
【０００９】
手洗装置１は、図２のように手洗空間Ａの下方に位置して手洗水を受けるボウル部２とボウル部２の後部に立設して手洗いの際の水跳ねを受ける鉛直壁状のバックガード３とを備えて構成されており、たとえば用便後の使用者に手を洗わせる目的でトイレルーム２０の側壁２０ａに沿わせるようにして設置される。ここで、手洗空間Ａは手を洗うための空間であって、ボウル部２の内部空間を含むバックガード３の前方空間である。
【００１０】
詳しくは、本例の手洗装置１では、ボウル部２とバックガード３とは樹脂製であって一体に形成されており、ボウル部２はキャビネット７に載設支持されており、バックガード３の上には鏡８が略面一となるように連続して配設されている。なお、ボウル部２は手洗水の排水の為の排水孔９を開設した底壁１０を有し、連続する前壁部１１ａ、後壁部１１ｂ及び両側壁１１ｃで成る周壁１１が底壁１０の周縁から立設されて形成されている。また、バックガード３は、手洗空間Ａに臨む鉛直壁状の前面壁３ａで主体が構成され、この前面壁３ａの上縁から上面壁３ｂが、前面壁３ａの両側縁から側面壁３ｃがそれぞれ後方へ延出されており、前面壁３ａと上面壁３ｂと側面壁３ｃとで囲繞されて後方に開口せるバックガード背部空間１２を有する。
【００１１】
ここで、バックガード３の幅方向及び高さ方向の略中央部には、手洗水の吐水部６となる筒状突出部４が、前方に向けてバックガード３と一体に突設されている。詳しくは、筒状突出部４は、鉛直で面一状のバックガード３の前面から斜め下前方に突出して側面視で略三角形状に形成されており、内部が中空にされた筒状突出部内空間１３を有している。つまり、筒状突出部４はバックガード３の一部（幅方向にも亙らず上下方向にも亙らない一部の部位）から前方に突出する突起状部位Ｂとなっている。バックガード３の一部から前方に突出する突起状部位Ｂは、従来から手洗水の吐水部６として容易に認識させ得る形状であり、つまり本例の手洗装置１でも、突起状部位Ｂとなる筒状突出部４で手洗水の吐水部６を構成しているので、手洗水の吐水部６を使用者に容易に認識させ得るようになっており、手洗装置１に良好な使い勝手が確保されている。なお、筒状突出部４の突出先端面４ａは、ボウル部２の底壁１０や前壁部１１ａに対面するように斜め前下方に向いて形成されており、幅方向に比べて上下寸法が長い略長円形状に形成されている。また、筒状突出部内空間１３は上記バックガード背部空間１２に連通している。
【００１２】
図１のように、筒状突出部内空間１３には、手洗水を供給する手洗水供給管５や、手洗空間Ａに差し入れた手を検知する手検知センサ１５が配設される。ここで、手洗水供給管５は、手洗装置１を沿わせるトイレルーム２０の側壁２０ａ内またはバックガード背部空間１２に配管されるのであって、その末端部が筒状突出部内空間１３に配管される。筒状突出部４の突出先端面４ａには内外に貫通する一対の開孔１４ａ，１４ｂが上下に並べて穿設されている。上側の開孔１４ａには、手洗水供給管５の末端が接続されて手洗水供給管５の先端を構成する吐水口金１９が手洗空間Ａに臨んで配設されており、下側の開孔１４ｂには、手検知センサ１５の投受光部が手洗空間Ａに臨んで配設されている。詳しくは、吐水口金１９は、手洗水供給管５の吐水口６ａを構成し、筒状突出部４の突出先端面４ａよりも前方に突出するようにして貫通孔１４ａに固定されている。しかして、手洗水の吐水切れの悪さなどで吐水口６ａから手洗水が液垂れしても、この液垂れした手洗水を筒状突出部４に至らしめずに、ボウル部２に直接滴り落とすことが可能にされている。
【００１３】
手洗水供給管５の先端（吐水口金１９）から吐水された手洗い手洗水は、バックガード３の前方の手洗空間Ａを通ってボウル部２内で受けられて底壁１０の排水孔９から排水される。ここで、手洗水は、手検知センサ１５により手洗空間Ａに差し入れた手を検知したときに、手洗水供給管５の吐水口６ａから吐水されるように制御される。図示はしないが、手洗水の吐水・停止制御は手洗水供給管５に設けた開閉弁で成る水栓によって行われる。
【００１４】
また、図３のように、本例のバックガード３の背部側（バックガード背部空間１２）には照明装置１６が防水性を確保して配設されている。照明装置１６は基板１７に発光部１８を設けて構成されるのであるが、本例の照明装置１６は環状に形成された基板１７の前面に多数のＬＥＤで成る発光部１８が周方向に等間隔に配設されている。そして、この照明装置１６は筒状突出部４の周囲に発光部１８が廻るようにバックガード背部空間１２に配設されている。このとき、環状の基板１７の内孔１７ａには筒状突出部４に至る手洗水供給管５が挿通されるのであり、つまり、基板１７を環状にしたことで手洗水供給管５を回避可能にしてある。また、発光部１８に対向するバックガード３の前面壁３ａの部位は透光性を有するように形成されており、発光部１８からの光を透過させてこの透過光で、手洗空間Ａを照らすと共に、手洗水の吐水部６となる筒状突出部４をその周囲から影をつくることなく浮かび上がらせるように照らすことができるようにされている。したがって、明るい手洗空間Ａで手洗いを行うことができると共に、手洗水の吐水部６を光で示すことができて使用者に容易に認識させ得るようになっており、手洗装置１に良好な使い勝手が確保されている。
【００１５】
なお、本例の照明装置１６は手検知センサ１５の手の検知時に照明光を照射するように制御されているが、トイレルーム２０への使用者の入室を検知する入室センサを設けた場合にはこの入室センサの入室検知により照明光を照射するように制御してもよく、この場合には手洗いをする前に手洗水の吐水部６や手洗空間Ａを光で示すことができて手洗装置１の使い勝手を向上できる。
【００１６】
上記のように本例の手洗装置１は、発光部１８をバックガード３の背部側に配設したので、発光部１８の防水性を確保できると共に、バックガード３は従来の発光部１８を付設するスパウト状の吐水部６に比べて広い部位であって発光部１８の配置可能面積は大きく、つまり配置可能面積の広いバックガード３に対して高い自由度のもと発光部１８を配設することができたものである。しかも、このバックガード３の発光部１８に対応する部位には透光性を備えているので、発光部１８が照射する光はバックガード３を通してバックガード３の前方の手洗空間Ａを照らすことができるのである。つまり、本例の手洗装置１にあっては、手洗空間Ａの照明機能を確保しつつ、高い防水性及び高い配設自由度を確保して発光部１８を配設できる構造となっているのである。
【００１７】
なお、高い配設自由度のもとに行われる発光部１８のバックガード３の背部側への配設構造にあっては、たとえば発光部１８の配設個数を単数、複数にかかわらず任意個数にできたり、発光部１８を点光源または面光源で構成することもできると共に、この任意個数・任意光源状の発光部１８を手洗水供給管５の配管に邪魔にならない程度にバックガード３の任意箇所に設けることができる。また、バックガード３に備える透光性能としては、たとえば、透光性を有さない材料でバックガード３を形成させると共にバックガード３の発光部１８に対する部位に窓孔を設けてこの窓孔を透光性を備えた材料で閉塞するなどして、前面壁の発光部１８に対する箇所にのみ透光性を備えるようにしてもよい。また、バックガード３に備える透光性能としては、前面壁の発光部１８に対する箇所のみならず、他箇所も含めて透光性を備えるようにしてもよい。たとえば、透光性を備えた材料でバックガード３を形成させればバックガード３の全部位に透光性を備えるようにできる。
【００１８】
またたとえば、バックガード３の前面壁３ａの発光部１８に対向する部位を、比較的薄手にしたり、半透光性材料を用いて形成させたりして、半透光性を備えるようにすると、発光部１８から発光した光の一部をバックガード３の前面壁３ａに透過させてこの透過光でぼんやりと手洗空間Ａや手洗水の吐水部６を照らすようにできる。したがって、深夜に手洗いをする際に直接光を見ないで済むようにでき、眩しさにより目がくらむこともなくなって手洗装置１に良好な使い勝手を確保することができると共に、照明装置１６をバックガード３で隠匿することもできて、手洗装置１にすっきりとしたシンプルな外観を確保することができる。
【図面の簡単な説明】
【００１９】
【図１】本発明の実施の形態の例の手洗装置の要部の側断面図である。
【図２】同上の手洗装置をトイレルームに設置した状態の斜視図である。
【図３】同上の手洗装置の要部の斜視図である。
【図４】従来技術の例の手洗装置の要部の側断面図である。
【符号の説明】
【００２０】
１  手洗装置
２  ボウル部
３  バックガード
６  吐水部
１８  発光部
Ａ  手洗空間
【図１】
2008237615.tif 000003
【図２】
2008237615.tif 000004
【図３】
2008237615.tif 000005
【図４】
2008237615.tif 000006